(57)【要約】      （修正有）【課題】しごき部材に付着した内容液が連結部材との間で固化しても、容器本体からしごき部材が外れる不具合を防止することができる塗布具付容器を提供する。【解決手段】塗布具付容器は、口部１ｄに雄ねじ１ｅを有する容器本体１と、雄ねじ１ｅに適合する雌ねじ２ｃを有し容器本体１に着脱可能に装着されるキャップ２と、一端部がキャップ２に保持されて容器本体１内に吊下げられるとともに他端部に塗布具４を有する連結部材３と、口部１ｄに設けられ、キャップ２を容器本体１に装着した状態において連結部材３を挿通させる開口５ｂを有するとともに開口５ｂの端縁で塗布具４に付着した内容液を掻き落とし可能な弾性傾斜壁５ａを有するしごき部材５とを備える塗布具付容器であって、しごき部材５は、口部１ｄに設けた第一凹部１ｆに連係して口部１ｄに対するしごき部材５の回り止めとなる第二凸部５ｇを備えることを特徴とする。【選択図】図１
2020114471.tif 000002
【特許請求の範囲】
【請求項１】
内容液を収容するとともに口部に雄ねじを有する容器本体と、該雄ねじに適合する雌ねじを有し該容器本体に着脱可能に装着されるキャップと、一端部が該キャップに保持されて該容器本体内に吊下げられるとともに他端部に内容液を塗布するための塗布具を有する連結部材と、該口部に設けられ、該キャップを該容器本体に装着した状態において該連結部材を挿通させる開口を有するとともに該開口の端縁で該塗布具に付着した内容液を掻き落とし可能な弾性傾斜壁を有するしごき部材とを備える塗布具付容器であって、
前記しごき部材は、前記口部に設けた第一凹部又は第一凸部に連係して該口部に対する該しごき部材の回り止めとなる第二凸部又は第二凹部を備える塗布具付容器。
【請求項２】
前記しごき部材は、前記口部の内周面に沿って延在するとともに前記弾性傾斜壁を有する筒状壁を備え、該筒状壁は前記容器本体の内面に係合する爪部と、該口部の上端部に被さるフランジとを備える請求項１に記載の塗布具付容器。
【請求項３】
前記しごき部材は、少なくとも前記弾性傾斜壁を形成する軟質部材と、少なくとも前記第二凸部又は前記第二凹部を形成するとともに該軟質部材よりも硬度が高い硬質部材とで構成される請求項２に記載の塗布具付容器。
【請求項４】
前記軟質部材は、前記硬質部材に設けた第三凸部又は第三凹部に連係して該硬質部材に対する該軟質部材の回り止めとなる第四凹部又は第四凸部を備える請求項３に記載の塗布具付容器。
【請求項５】
前記しごき部材は、前記第二凸部又は前記第二凹部、前記弾性傾斜壁、前記筒状壁、前記爪部、及び前記フランジを形成する軟質部材のみで構成される請求項２に記載の塗布具付容器。
【請求項６】
前記第一凹部又は第一凸部は、前記口部の内周面に設けられ、前記第二凸部又は第二凹部は、前記筒状壁の外周面に設けられる請求項２〜５の何れか一項に記載の塗布具付容器。
【請求項７】
前記第一凹部又は第一凸部は、前記口部の上端部に設けられ、前記第二凸部又は第二凹部は、前記筒状壁と前記フランジとの連結部に設けられる請求項２〜５の何れか一項に記載の塗布具付容器。
【発明の詳細な説明】
【技術分野】
【０００１】
本発明は、内容液を収容する容器本体と内容液を塗布するための塗布具とを有する塗布具付容器に関する。
【背景技術】
【０００２】
従来、例えばマスカラやアイライナー等の内容液を収容する容器においては、内容液を収容する容器本体と、容器本体に着脱可能に装着されるキャップと、一端部がキャップに保持されて容器本体内に吊下げられるとともに他端部に内容液を塗布するためのブラシの如き塗布具を有する連結部材とを備える塗布具付容器が既知である。このような塗布具付容器にあっては、塗布具に付着した内容液を掻き落とし可能な弾性傾斜壁を有するしごき部材を備えるものが知られている（例えば特許文献１参照）。このようなしごき部材を備える塗布具付容器によれば、キャップを取り外す際に塗布具を弾性傾斜壁の開口から引き抜いたり、一旦引き抜いた塗布具を開口に対して挿抜したりすることによって塗布具に付着した不要な内容液を掻き落とすことができるため、適量の内容液を塗布することができる。
【先行技術文献】
【特許文献】
【０００３】
【特許文献１】特開平１１−１５５６２９号公報
【発明の概要】
【発明が解決しようとする課題】
【０００４】
この種の塗布具付容器は、特許文献１に開示されているように、容器本体とキャップとの間に雄ねじと雌ねじを設け、容器本体に対してキャップを回動させることによってキャップを取り外せるようにしている。ところでしごき部材は、塗布具の内容液を掻き落とすことによって内容液が付着するため、キャップを容器本体に装着した際には、しごき部材の内容液が連結部材にも付着してそのまま固化してしまうことがある。この状態においてキャップを容器本体から取り外すために回動させると、キャップに連動して回動する連結部材が固化した内容液を介してしごき部材を共回りさせ、これによってしごき部材が変形して容器本体から外れてしまうことがあった。特に内容液としてマスカラのような速乾性のものを用いる場合は、このような不具合が生じやすい傾向にあった。
【０００５】
本発明は、このような問題点を解決することを課題とするものであり、しごき部材に付着した内容液が連結部材との間で固化しても、容器本体からしごき部材が外れる不具合を防止することができる塗布具付容器を提供することを目的とする。
【課題を解決するための手段】
【０００６】
本発明は、内容液を収容するとともに口部に雄ねじを有する容器本体と、該雄ねじに適合する雌ねじを有し該容器本体に着脱可能に装着されるキャップと、一端部が該キャップに保持されて該容器本体内に吊下げられるとともに他端部に内容液を塗布するための塗布具を有する連結部材と、該口部に設けられ、該キャップを該容器本体に装着した状態において該連結部材を挿通させる開口を有するとともに該開口の端縁で該塗布具に付着した内容液を掻き落とし可能な弾性傾斜壁を有するしごき部材とを備える塗布具付容器であって、
前記しごき部材は、前記口部に設けた第一凹部又は第一凸部に連係して該口部に対する該しごき部材の回り止めとなる第二凸部又は第二凹部を備える塗布具付容器である。
【０００７】
前記しごき部材は、前記口部の内周面に沿って延在するとともに前記弾性傾斜壁を有する筒状壁を備え、該筒状壁は前記容器本体の内面に係合する爪部と、該口部の上端部に被さるフランジとを備えることが好ましい。
【０００８】
前記しごき部材は、少なくとも前記弾性傾斜壁を形成する軟質部材と、少なくとも前記第二凸部又は前記第二凹部を形成するとともに該軟質部材よりも硬度が高い硬質部材とで構成されることが好ましい。
【０００９】
前記軟質部材は、前記硬質部材に設けた第三凸部又は第三凹部に連係して該硬質部材に対する該軟質部材の回り止めとなる第四凹部又は第四凸部を備えることが好ましい。
【００１０】
前記しごき部材は、前記第二凸部又は前記第二凹部、前記弾性傾斜壁、前記筒状壁、前記爪部、及び前記フランジを形成する軟質部材のみで構成されることが好ましい。
【００１１】
前記第一凹部又は第一凸部は、前記口部の内周面に設けられ、前記第二凸部又は第二凹部は、前記筒状壁の外周面に設けられることが好ましい。
【００１２】
前記第一凹部又は第一凸部は、前記口部の上端部に設けられ、前記第二凸部又は第二凹部は、前記筒状壁と前記フランジとの連結部に設けられることが好ましい。
【発明の効果】
【００１３】
本発明の塗布具付容器にあっては、容器本体の口部に設けた第一凸部又は第一凹部に対し、しごき部材にはこれに適合する第二凹部又は第二凸部を設けて口部に対してしごき部材が回り止めされるようにしている。すなわち、しごき部材に付着した内容液が連結部材との間で固化しても、キャップに連動して連結部材が回動する際には、しごき部材は口部に対して回り止めされているので共回りすることがない。これにより、しごき部材の変形を防ぐことができるので、しごき部材が容器本体から外れる不具合を防止することができる。
【図面の簡単な説明】
【００１４】
【図１】本発明に従う塗布具付容器の一実施形態を示す側面視での半断面図である。
【図２】図１に示すしごき部材を示す図であって、（ａ）は側面図であり、（ｂ）は（ａ）に示すＡ−Ａに沿う断面図である。
【図３】本発明に従う塗布具付容器の他の実施形態を示す図であって、（ａ）は塗布具付容器の上部における側面視での半断面図であり、（ｂ）は（ａ）に示す容器本体の側面図である。
【図４】図３の変形例を示す容器本体の側面図である。
【発明を実施するための形態】
【００１５】
以下、図面を参照して、本発明に従う塗布具付容器の一実施形態について説明する。なお、本明細書、特許請求の範囲、及び要約書における「上」、「下」の関係は、図１に示すように塗布具付容器を正立姿勢にした状態（容器本体が下側、キャップが上側に位置する状態）での位置関係をいう。また周方向とは、塗布具付容器の中心軸線（図１では符号Ｏで示す）を中心に周回する向きであり、径方向とは、中心軸線Ｏに直交する向きである。
【００１６】
図１に示すように本実施形態の塗布具付容器は、容器本体１、キャップ２、連結部材３、塗布具４、しごき部材５で構成されている。
【００１７】
容器本体１は有底筒状をなし、内容液を収容するものである。容器本体１に収容される内容液としては、例えばマスカラ、アイライナー、リップグロス等の化粧料の他、薬液、接着液、洗浄液等が挙げられる。本実施形態の容器本体１は、円板状の底部１ａに円筒状の胴部１ｂを連結し、更に胴部１ｂの上方に、肩部１ｃを介して胴部１ｂよりも小径になる口部１ｄを連結したものである。また口部１ｄの外周面には雄ねじ１ｅが設けられている。そして口部１ｄの内周面には、図１の拡大図に示すように中心軸線Ｏに沿って延在する第一凹部１ｆが、図２（ｂ）に仮想線で示すように周方向に間隔をあけて複数（本実施形態では８つ）設けられている。
【００１８】
キャップ２は有蓋筒状をなし、容器本体１に着脱可能に装着されるものである。本実施形態のキャップ２は、円筒状であって胴部１ｂに連なる形状になる外周壁２ａと、外周壁２ａの上端を塞ぐ天壁２ｂとを備えている。また外周壁２ａの内周面には、雄ねじ１ｅに適合する雌ねじ２ｃが設けられている。
【００１９】
連結部材３は、概略棒状をなすものである。本実施形態の連結部材３は、その一端部に外周壁２ａの内周面に嵌合して連結部材３を容器本体１内に吊下げ保持する環状の嵌合壁３ａを備えている。また嵌合壁３ａの下端には、円柱状の本体部３ｂが設けられている。本体部３ｂは、その上部において径方向外側に向けて突き出す膨出部３ｃを備えるとともに、その下部（連結部材３の他端部）には中心軸線Ｏに沿って延在する嵌合穴３ｄを備えている。
【００２０】
塗布具４は、内容液を塗布するための塗布部４ａと、塗布部４ａに連結する棒状の連結部４ｂとを備えていて、連結部４ｂを嵌合穴３ｄに挿入して連結部材３に保持される。塗布部４ａは、例えばブラシ状、スポンジ状、筆状に設けられるものであって、内容液の種類や内容液を塗布する部位に応じて最適なものが適宜選択される。
【００２１】
しごき部材５は容器本体１の口部１ｄに設けられるものである。またしごき部材５は、径方向内側に向かうにつれて下向きに傾斜する弾性傾斜壁５ａを備えていて、弾性傾斜壁５ａの中央部には、図１の拡大図に示すように、キャップ２を容器本体１に装着した状態において連結部材３の本体部３ｂを挿通させる開口５ｂが設けられている。このような弾性傾斜壁５ａによれば、キャップ２を取り外して塗布具４を開口５ｂから引き抜いたり、一旦引き抜いた塗布具４を開口５ｂに対して挿抜したりすることによって、塗布具４に付着した不要な内容液を開口５ｂの端縁で掻き落とすことができる。またキャップ２を容器本体１に装着した状態においては、連結部材３の膨出部３ｃが弾性傾斜壁５ａに沿うように位置しているため、弾性傾斜壁５ａが捲れて変形してしまう不具合が防止できる。
【００２２】
またしごき部材５は、口部１ｄの内周面に沿って延在する円筒状の筒状壁５ｃを備えていて、弾性傾斜壁５ａは、筒状壁５ｃの内周面に一体に連結している。筒状壁５ｃは、その下端部において肩部１ｃの内面に係合する爪部５ｄを一体に連結しており、またその上端部には、径方向外側に延在して口部１ｄの上端部に被さるフランジ５ｅを一体に連結している。そして、図２に示すようにフランジ５ｅの上部には、環状のシール部５ｆが設けられている。シール部５ｆは、図１に示すようにキャップ２を容器本体１に装着した状態において、押し潰されるようにして嵌合壁３ａの下面に密着するため、容器本体１の内部は気密に保持される。ここで本実施形態の弾性傾斜壁５ａ、筒状壁５ｃ、爪部５ｄ、フランジ５ｅ、及びシール部５ｆは、例えばゴムやエラストマーの如き軟質部材で形成されている。
【００２３】
また本実施形態のしごき部材５は、容器本体１に設けた第一凹部１ｆに適合する第二凸部５ｇを備えている。本実施形態の第二凸部５ｇは、図２（ｂ）に示すように周方向に間隔をあけて合計８つ設けられている。また第二凸部５ｇは、筒状壁５ｃの外周面側に設けられる円筒状の環状壁５ｈに対して一体に設けられている。ここで、第二凸部５ｇ及び環状壁５ｈは、前述の軟質部材よりも硬度が高い硬質部材（例えばポリエチレン等の合成樹脂）で形成されている。
【００２４】
なお、軟質部材と硬質部材とは、例えば硬質部材を軟質部材に嵌め込むことや、レーザーによる溶着、或いはインサート成形等によって結合している。更に本実施形態では、図２（ａ）に示すように、硬質部材で形成される環状壁５ｈに、下方に向けて突出する第三凸部５ｊを周方向に間隔をあけて複数設け、軟質部材で形成される筒状壁５ｃに、第三凸部５ｊに適合する第四凹部５ｋを複数設けている。これにより、硬質部材に対して軟質部材をより強固に回り止め保持することができる。
【００２５】
このように、しごき部材５は第一凹部１ｆと第二凸部５ｇとの連係によって容器本体１に対して回り止め保持され、またしごき部材５の軟質部材は、第三凸部５ｊと第四凹部５ｋとの連係によって硬質部材に回り止め保持されている。このため、弾性傾斜壁５ａで掻き落とした内容液がしごき部材５と連結部材３との間で固着することがあっても、キャップ２の回動に伴うしごき部材５の共回りを防ぐことができるため、しごき部材５の変形が抑えられて容器本体１から外れにくくなる。本実施形態のしごき部材５は、図１に示すように爪部５ｄとフランジ５ｅによって中心軸線Ｏに沿う動きが規制されるため、容器本体１から外れてしまう不具合がより起きにくくなる。
【００２６】
次に、本発明に従う塗布具付容器の他の実施形態について、図３を参照しながら説明する。なお、前述の実施形態と同一の機能を有する部位は、図面中に同一の符号を付して詳細な説明は省略する。
【００２７】
本実施形態では、前述の実施形態に対して容器本体１の代わりに容器本体１１を設け、しごき部材５の代わりにしごき部材１５を設けている。
【００２８】
容器本体１１は、口部１ｄの上端部に、上方を開放させた方形状の第一凹部１１ａを周方向に間隔をあけて複数有している。
【００２９】
またしごき部材１５は、筒状壁５ｃとフランジ５ｅとの連結部において、第一凹部１１ａに適合する第二凸部１５ａを複数有している。なおしごき部材１５は、弾性傾斜壁５ａ、筒状壁５ｃ、爪部５ｄ、フランジ５ｅ、シール部５ｆ、及び第二凸部１５ａが全て軟質材で形成されている。
【００３０】
本実施形態においても、しごき部材１５は第一凹部１１ａと第二凸部１５ａとによって容器本体１１に対して回り止めされる。このため、内容液がしごき部材１５と連結部材３との間で固着することがあっても、キャップ２の回動に伴うしごき部材１５の共回りを防ぐことができるため、容器本体１１からしごき部材１５が外れてしまう不具合が防止される。
【００３１】
なお図３の実施形態では、第一凹部１１ａ及び第二凸部１５ａは方形状であるが、図４に示すように三角形状にした第一凹部１１ｂ及び第二凸部１５ｂを用いてもよい。本実施形態ではキャップ２を緩める向きが平面視において反時計回りであるため、第一凹部１１ｂ及び第二凸部１５ｂにおける反時計回り側の辺１１ｃ及び１５ｃは、キャップ２の回転方向に対して直角になる方向（図４において上下方向）に指向させるものとする。このように構成することによって、第一凹部１１ｂ及び第二凸部１５ｂは、しごき部材１５の反時計回りへの回り止めとして機能するため、図４に示す実施形態においてもしごき部材１５の共回りを防止することができる。
【００３２】
本発明である塗布具付容器は、これまでに述べた実施形態に限定されるものではなく、特許請求の範囲に従う範囲で種々の変更を加えたものも含むものである。例えば、容器本体１、１１に設けた第一凹部１ｆ、１１ａ、１１ｂとしごき部材５、１５に設けた第二凸部５ｇ、１５ａ、１５ｂとの組み合わせに代えて、容器本体に凸部（第一凸部）を設け、しごき部材に第一凸部に連係する凹部（第二凹部）を設けてもよい。また図１、図２に示す実施形態においては、硬質部材に設けた第三凸部５ｊと硬質部材に設けた第四凹部５ｋとの組み合わせに代えて、硬質部材に凹部（第三凹部）を設け、軟質部材に第三凹部に連係する凸部（第四凸部）を設けてもよい。更に、図１、図２に示すしごき部材５を全て軟質部材で構成したり、図３、図４に示すしごき部材１５を軟質部材と硬質部材の組み合わせによって構成したりするなど、これまでに述べた実施形態間で構成を相互に入れ換えてもよい。
【符号の説明】
【００３３】
１、１１：容器本体
１ａ：底部
１ｂ：胴部
１ｃ：肩部
１ｄ：口部
１ｅ：雄ねじ
１ｆ、１１ａ、１１ｂ：第一凹部
２：キャップ
２ａ：外周壁
２ｂ：天壁
２ｃ：雌ねじ
３：連結部材
３ａ：嵌合壁
３ｂ：本体部
３ｃ：膨出部
３ｄ：嵌合穴
４：塗布具
４ａ：塗布部
４ｂ：連結部
５、１５：しごき部材
５ａ：弾性傾斜壁
５ｂ：開口
５ｃ：筒状壁
５ｄ：爪部
５ｅ：フランジ
５ｆ：シール部
５ｇ、１５ａ、１５ｂ：第二凸部
５ｈ：環状壁
５ｊ：第三凸部
５ｋ：第四凹部
１１ｃ：第一凹部における反時計回り側の辺
１５ｃ：第二凸部における反時計回り側の辺
Ｏ：塗布具付容器の中心軸線
【図１】
2020114471.tif 000003
【図２】
2020114471.tif 000004
【図３】
2020114471.tif 000005
【図４】
2020114471.tif 000006
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
内容液を収容するとともに口部の外周面に雄ねじを有する容器本体と、該雄ねじに適合する雌ねじを内周面に有し該容器本体に着脱可能に装着されるキャップと、一端部が該キャップに保持されて該容器本体内に吊下げられるとともに他端部に内容液を塗布するための塗布具を有する連結部材と、該口部の内側に設けられ、該キャップを該容器本体に装着した状態において該連結部材を挿通させる開口を有するとともに該開口の端縁で該塗布具に付着した内容液を掻き落とし可能な弾性傾斜壁を有するしごき部材とを備える塗布具付容器であって、
前記しごき部材は、前記口部の内周面に沿って延在する筒状壁と、該筒状壁の内周面側に設けられる前記弾性傾斜壁と、前記容器本体の内面に係合する爪部と、該口部の上端部に被さるフランジと、該フランジに連結されるとともに前記口部の上端部であって、前記雄ねじの上方に設けた上方を開放させた第一凹部に連係して該口部に対する該しごき部材の回り止めとなる第二凸部とを有し、これらが一体に軟質部材により形成され、
前記第一凹部及び前記第二凸部は方形又は三角形状を呈する塗布具付容器。
【請求項２】
前記第一凹部は前記口部の上端部において周方向に間隔をあけて複数設けられる請求項１に記載の塗布具付容器。
【手続補正２】
【補正対象書類名】明細書
【補正対象項目名】０００６
【補正方法】変更
【補正の内容】
【０００６】
本発明は、内容液を収容するとともに口部の外周面に雄ねじを有する容器本体と、該雄ねじに適合する雌ねじを内周面に有し該容器本体に着脱可能に装着されるキャップと、一端部が該キャップに保持されて該容器本体内に吊下げられるとともに他端部に内容液を塗布するための塗布具を有する連結部材と、該口部の内側に設けられ、該キャップを該容器本体に装着した状態において該連結部材を挿通させる開口を有するとともに該開口の端縁で該塗布具に付着した内容液を掻き落とし可能な弾性傾斜壁を有するしごき部材とを備え、
前記しごき部材は、前記口部の内周面に沿って延在する筒状壁と、該筒状壁の内周面側に設けられる前記弾性傾斜壁と、前記容器本体の内面に係合する爪部と、該口部の上端部に被さるフランジと、該フランジに連結されるとともに前記口部の上端部であって、前記雄ねじの上方に設けた上方を開放させた第一凹部に連係して該口部に対する該しごき部材の回り止めとなる第二凸部とを有し、これらが一体に軟質部材により形成され、
前記第一凹部及び前記第二凸部は方形又は三角形状を呈する塗布具付容器である。
また、本発明において、前記第一凹部は前記口部の上端部において周方向に間隔をあけて複数設けられることが好ましい。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】